(57)【要約】【課題】上下両画面の分割境界部での輝度差を低減し、表示品位を向上させること。【解決手段】第１ゲートドライバ８ａ及び第１ソースドライバ９ａにより表示画面の上画面を駆動し、第２ゲートドライバ８ｂ及び第２ソースドライバ９ｂにより表示画面の下画面を駆動するに際し、第１ソースドライバ９ａに対し、第１階調電圧出力回路１０ａによって映像信号に応じた階調電圧を出力し、第２ソースドライバ９ｂに対し、第２階調電圧出力回路１０ｂによって映像信号に応じた階調電圧を出力するとき、制御回路５によって制御される補正電圧供給回路１２により、たとえば第２階調電圧出力回路１０ｂに対し、両者の出力のオフセット分を補正するための補正電圧が供給されることで、第１階調電圧出力回路１０ａと第２階調電圧出力回路１０ｂとの特性が異なる場合でも、それぞれの特性の相違が補正されるようにした。【選択図】図６
2008287146.tif 000002
【特許請求の範囲】
【請求項１】
表示画面を上下に分割した分割駆動による映像表示を行う映像表示装置であって、
前記表示画面の上画面に対応し、走査パルスを印加する第１ゲートドライバ及び映像信号に応じた信号パルスを印加する第１ソースドライバと、
前記表示画面の下画面に対応し、走査パルスを印加する第２ゲートドライバ及び前記映像信号に応じた信号パルスを印加する第２ソースドライバと、
前記第１ソースドライバに対し、前記映像信号に応じた階調電圧を出力する第１階調電圧出力手段と、
前記第２ソースドライバに対し、前記映像信号に応じた階調電圧を出力する第２階調電圧出力手段と、
前記第１階調電圧出力手段又は前記第２階調電圧出力手段に対し、両者の出力のオフセット分を補正するための補正電圧を供給する補正電圧供給手段と、
前記補正電圧供給手段からの補正電圧のレベルを、前記両者の出力のオフセット分を補正するように制御する制御手段とを備える
ことを特徴とする映像表示装置。
【請求項２】
周囲の明るさを検出する検出手段と、
該検出手段による検出結果が明るいときに用いられる第１補正データと前記検出手段による検出結果が暗いときに用いられる第２補正データとを有するテーブルとを具備し、
前記制御手段は、前記検出手段による検出結果に応じた前記第１補正データ又は前記第２補正データに基づき、前記補正電圧供給手段からの補正電圧のレベルを制御する
ことを特徴とする請求項１に記載の映像表示装置。
【請求項３】
前記第１補正データは、前記第１階調電圧出力手段又は前記第２階調電圧出力手段のいずれか一方の出力に対する他方の出力のクロスポイントが高輝度側に寄るような前記補正電圧のレベルを示すものであり、
前記第２補正データは、前記第１階調電圧出力手段又は前記第２階調電圧出力手段のいずれか一方の出力に対する他方の出力のクロスポイントが低輝度側に寄るような前記補正電圧のレベルを示すものである
ことを特徴とする請求項２に記載の映像表示装置。
【請求項４】
前記第１補正データ及び前記第２補正データは、前記第１階調電圧出力手段又は前記第２階調電圧出力手段からの出力が前記低輝度側と前記高輝度側とに分けて補正される、前記補正電圧のレベルを示すものであることを特徴とする請求項３に記載の映像表示装置。
【請求項５】
表示画面を上下に分割した分割駆動による映像表示を行う映像表示方法であって、
走査パルスを印加する第１ゲートドライバ及び映像信号に応じた信号パルスを印加する第１ソースドライバにより、前記表示画面の上画面を駆動する工程と、
走査パルスを印加する第２ゲートドライバ及び前記映像信号に応じた信号パルスを印加する第２ソースドライバにより、前記表示画面の下画面を駆動する工程と、
前記第１ソースドライバに対し、第１階調電圧出力手段によって前記映像信号に応じた階調電圧を出力する工程と、
前記第２ソースドライバに対し、第２階調電圧出力手段によって前記映像信号に応じた階調電圧を出力する工程と、
補正電圧供給手段により、前記第１階調電圧出力手段又は前記第２階調電圧出力手段に対し、両者の出力のオフセット分を補正するための補正電圧を供給する工程と、
制御手段により前記補正電圧供給手段からの補正電圧のレベルを、前記両者の出力のオフセット分を補正するように制御する工程とを有する
ことを特徴とする映像表示方法。
【請求項６】
検出手段により周囲の明るさを検出する工程を有し、
前記制御手段は、前記検出手段による検出結果に応じ、前記検出手段による検出結果が明るいときに用いられる第１補正データと前記検出手段による検出結果が暗いときに用いられる第２補正データとを有するテーブルを参照し、前記第１補正データ又は前記第２補正データに基づき、前記補正電圧供給手段からの補正電圧のレベルを制御する
ことを特徴とする請求項５に記載の映像表示方法。
【請求項７】
前記第１補正データは、前記第１階調電圧出力手段又は前記第２階調電圧出力手段のいずれか一方の出力に対する他方の出力のクロスポイントが高輝度側に寄るような前記補正電圧のレベルを示すものであり、
前記第２補正データは、前記第１階調電圧出力手段又は前記第２階調電圧出力手段のいずれか一方の出力に対する他方の出力のクロスポイントが低輝度側に寄るような前記補正電圧のレベルを示すものである
ことを特徴とする請求項６に記載の映像表示方法。
【請求項８】
前記第１補正データ及び前記第２補正データは、前記第１階調電圧出力手段又は前記第２階調電圧出力手段からの出力が前記低輝度側と前記高輝度側とに分けて補正される、前記補正電圧のレベルを示すものであることを特徴とする請求項７に記載の映像表示方法。
【発明の詳細な説明】
【技術分野】
【０００１】
本発明は、たとえば大型画面での映像表示に適した映像表示装置及び映像表示方法に関する。
【背景技術】
【０００２】
たとえば、ＬＣＤ（Ｌｉｑｕｉｄ  Ｃｒｙｓｔａｌ  Ｄｉｓｐｌａｙ）を採用した映像表示装置にあっては、技術の進歩により画面サイズの大型化が進む傾向にある。ＬＣＤには大きく分けてＴＦＴ方式とＳＴＮ方式があるが、ＴＦＴ方式はＳＴＮ方式に比べてコントラストが高い、表示ムラが少ない、多階調表示に有利、応答速度が速いという特長がある。しかしながらＴＦＴ方式であってもが、画面サイズの大型化に伴い、さらに表示品位を向上させるような技術が必要とされている。
【０００３】
その一つに、特許文献１に示されているように、表示画面を上下に分割して、上下両画面を２個のゲートドライバで同時に走査するようにしたドットマトリクス表示装置が知られている。
【特許文献１】特開平１１−１０２１７２号公報
【発明の開示】
【発明が解決しようとする課題】
【０００４】
上述した特許文献１では、表示画面を上下に分割して、上下両画面を２個のゲートドライバで同時に走査するようにしているため、画面サイズが大型化しても映像の表示が滑らかに行われるとともに、上下両画面の分割境界部に位置する隣接した両走査線を同一タイミングで走査するとき、映像信号の垂直同期信号の位相をずらせて走査するように上下両画面の走査順序を制御するようにしているため、両走査線の輝度差が解消され、上下両画面の分割境界部の表示品位が向上されるようになっている。
【０００５】
ところで、このような分割駆動を行う方法では、上下両画面に対応して設けられているそれぞれのソースドライバに対してそれぞれのＤＡＣ（Ｄｉｇｉｔａｌ  Ａｎａｌｏｇ  Ｃｏｎｖｅｒｔｅｒ）からの映像信号に応じた階調基準電圧が印加されるが、それぞれのＤＡＣの特性が異なってしまうと、上下両画面の分割境界部に輝度差が生じてしまい、表示品位が低下してしまうという問題があった。
【０００６】
本発明は、このような状況に鑑みてなされたものであり、上記問題点を解決することができる映像表示装置及び映像表示方法を提供することを目的とする。
【課題を解決するための手段】
【０００７】
本発明の映像表示装置は、表示画面を上下に分割した分割駆動による映像表示を行う映像表示装置であって、前記表示画面の上画面に対応し、走査パルスを印加する第１ゲートドライバ及び映像信号に応じた信号パルスを印加する第１ソースドライバと、前記表示画面の下画面に対応し、走査パルスを印加する第２ゲートドライバ及び前記映像信号に応じた信号パルスを印加する第２ソースドライバと、前記第１ソースドライバに対し、前記映像信号に応じた階調電圧を出力する第１階調電圧出力手段と、前記第２ソースドライバに対し、前記映像信号に応じた階調電圧を出力する第２階調電圧出力手段と、前記第１階調電圧出力手段又は前記第２階調電圧出力手段に対し、両者の出力のオフセット分を補正するための補正電圧を供給する補正電圧供給手段と、前記補正電圧供給手段からの補正電圧のレベルを、前記両者の出力のオフセット分を補正するように制御する制御手段とを備えることを特徴とする。
また、周囲の明るさを検出する検出手段と、該検出手段による検出結果が明るいときに用いられる第１補正データと前記検出手段による検出結果が暗いときに用いられる第２補正データとを有するテーブルとを具備し、前記制御手段は、前記検出手段による検出結果に応じた前記第１補正データ又は前記第２補正データに基づき、前記補正電圧供給手段からの補正電圧のレベルを制御するようにすることができる。
また、前記第１補正データは、前記第１階調電圧出力手段又は前記第２階調電圧出力手段のいずれか一方の出力に対する他方の出力のクロスポイントが高輝度側に寄るような前記補正電圧のレベルを示すものであり、前記第２補正データは、前記第１階調電圧出力手段又は前記第２階調電圧出力手段のいずれか一方の出力に対する他方の出力のクロスポイントが低輝度側に寄るような前記補正電圧のレベルを示すものであるようにすることができる。
また、前記第１補正データ及び前記第２補正データは、前記第１階調電圧出力手段又は前記第２階調電圧出力手段からの出力が前記低輝度側と前記高輝度側とに分けて補正される、前記補正電圧のレベルを示すものであるようにすることができる。
本発明の映像表示方法は、表示画面を上下に分割した分割駆動による映像表示を行う映像表示方法であって、走査パルスを印加する第１ゲートドライバ及び映像信号に応じた信号パルスを印加する第１ソースドライバにより、前記表示画面の上画面を駆動する工程と、走査パルスを印加する第２ゲートドライバ及び前記映像信号に応じた信号パルスを印加する第２ソースドライバにより、前記表示画面の下画面を駆動する工程と、前記第１ソースドライバに対し、第１階調電圧出力手段によって前記映像信号に応じた階調電圧を出力する工程と、前記第２ソースドライバに対し、第２階調電圧出力手段によって前記映像信号に応じた階調電圧を出力する工程と、補正電圧供給手段により、前記第１階調電圧出力手段又は前記第２階調電圧出力手段に対し、両者の出力のオフセット分を補正するための補正電圧を供給する工程と、制御手段により前記補正電圧供給手段からの補正電圧のレベルを、前記両者の出力のオフセット分を補正するように制御する工程とを有することを特徴とする。
また、検出手段により周囲の明るさを検出する工程を有し、前記制御手段は、前記検出手段による検出結果に応じ、前記検出手段による検出結果が明るいときに用いられる第１補正データと前記検出手段による検出結果が暗いときに用いられる第２補正データとを有するテーブルを参照し、前記第１補正データ又は前記第２補正データに基づき、前記補正電圧供給手段からの補正電圧のレベルを制御するようにすることができる。
また、前記第１補正データは、前記第１階調電圧出力手段又は前記第２階調電圧出力手段のいずれか一方の出力に対する他方の出力のクロスポイントが高輝度側に寄るような前記補正電圧のレベルを示すものであり、前記第２補正データは、前記第１階調電圧出力手段又は前記第２階調電圧出力手段のいずれか一方の出力に対する他方の出力のクロスポイントが低輝度側に寄るような前記補正電圧のレベルを示すものであるようにすることができる。
また、前記第１補正データ及び前記第２補正データは、前記第１階調電圧出力手段又は前記第２階調電圧出力手段からの出力が前記低輝度側と前記高輝度側とに分けて補正される、前記補正電圧のレベルを示すものであるようにすることができる。
本発明の映像表示装置及び映像表示方法では、走査パルスを印加する第１ゲートドライバ及び映像信号に応じた信号パルスを印加する第１ソースドライバにより表示画面の上画面を駆動し、走査パルスを印加する第２ゲートドライバ及び映像信号に応じた信号パルスを印加する第２ソースドライバにより表示画面の下画面を駆動するに際し、第１ソースドライバに対し、第１階調電圧出力手段によって映像信号に応じた階調電圧を出力し、第２ソースドライバに対し、第２階調電圧出力手段によって映像信号に応じた階調電圧を出力するとき、制御手段によって制御される補正電圧供給手段により、第１階調電圧出力手段又は第２階調電圧出力手段に対し、両者の出力のオフセット分を補正するための補正電圧が供給されることで、第１階調電圧出力手段と第２階調電圧出力手段との特性が異なる場合でも、それぞれの特性の相違が補正され、上下両画面の分割境界部での輝度差が低減される。
【発明の効果】
【０００８】
本発明の映像表示装置及び映像表示方法によれば、制御手段によって制御される補正電圧供給手段により、第１階調電圧出力手段又は第２階調電圧出力手段に対し、両者の出力のオフセット分を補正するための補正電圧が供給されることで、第１階調電圧出力手段と第２階調電圧出力手段との特性が異なる場合でも、それぞれの特性の相違が補正され、上下両画面の分割境界部での輝度差が低減されるようにしたので、表示品位を向上させることができる。
【発明を実施するための最良の形態】
【０００９】
本実施形態では、走査パルスを印加する第１ゲートドライバ及び映像信号に応じた信号パルスを印加する第１ソースドライバにより表示画面の上画面（画面を上下２分割した上半分の画面）を駆動し、走査パルスを印加する第２ゲートドライバ及び映像信号に応じた信号パルスを印加する第２ソースドライバにより表示画面の下画面（画面を上下２分割した下半分の画面）を駆動するに際し、第１ソースドライバに対し、第１階調電圧出力手段によって映像信号に応じた階調電圧を出力し、第２ソースドライバに対し、第２階調電圧出力手段によって映像信号に応じた階調電圧を出力するとき、制御手段によって制御される補正電圧供給手段により、第１階調電圧出力手段又は第２階調電圧出力手段に対し、両者の出力のオフセット分を補正するための補正電圧が供給されることで、第１階調電圧出力手段と第２階調電圧出力手段との特性が異なる場合でも、それぞれの特性の相違が補正され、上下両画面の分割境界部での輝度差が低減されるようにし、表示品位を向上させるようにした。
【００１０】
ここで、第１階調電圧出力手段又は第２階調電圧出力手段の出力のオフセット分を補正する際、周囲の明るさを検出する検出手段による検出結果に応じた第１補正データ又は第２補正データが用いられる。すなわち、第１補正データは検出手段による検出結果が明るいときに用いられるものであり、第２補正データは検出手段による検出結果が暗いときに用いられるものである。
【００１１】
具体的には、第１補正データは第１階調電圧出力手段又は第２階調電圧出力手段のいずれか一方の出力に対する他方の出力のクロスポイントが高輝度側に寄るような補正電圧のレベルを示すものであり、第２補正データは第１階調電圧出力手段又は第２階調電圧出力手段のいずれか一方の出力に対する他方の出力のクロスポイントが低輝度側に寄るような補正電圧のレベルを示すものである。
【００１２】
この場合、第１補正データ及び第２補正データは、第１階調電圧出力手段又は第２階調電圧出力手段からの出力が低輝度側と高輝度側とに分けて補正される補正電圧のレベルを示すものである。
【００１３】
このように、第１補正データ及び第２補正データを用いることで、第１階調電圧出力手段と第２階調電圧出力手段との特性が異なる場合でも、オフセット補正によりそれぞれの特性の相違が補正されるため、上下両画面の分割境界部での輝度差が低減されることで、表示品位が向上することになる。
【実施例】
【００１４】
以下、本発明の実施例の詳細について説明する。図１は、本発明の映像表示装置の一実施例を説明するための図である。
【００１５】
図１に示す映像表示装置であるテレビジョン受像機１は、たとえば地上デジタルテレビ放送の映像を表示するものであり、映像処理回路２、液晶駆動ドライバ３、液晶表示パネル４、制御回路５、明るさセンサー６、リモコン受光器７を備えている。
【００１６】
映像処理回路２は、たとえばリモコン受光器７によって受信された図示しないリモコン送信機からの選局データに基づきデジタル放送信号の選局を行い、その選局したデジタル放送信号を復調し、ＭＰＥＧ２符号化方式等で符号化されている映像、音声、データが多重されたトランスポートストリームから映像データ、音声データ、電子番組表データ等の各種データを分離・抽出し、その分離・抽出した映像データ、音声データ及び電子番組表データ等に対しＭＰＥＧ２等の復号処理を行う。
【００１７】
液晶駆動ドライバ３は、映像処理回路２からの映像信号に基づき、液晶表示パネル４の上下両画面を分割駆動するものであるが、その詳細については後述する。
【００１８】
液晶表示パネル４は、液晶駆動ドライバ３による分割駆動によって映像を表示する。制御回路５は、リモコン受光器７によって受信された図示しないリモコン送信機からの選局データ等に基づき、映像処理回路２における映像処理を制御する。また、制御回路５は、明るさセンサー６による外光（周囲の明るさ）の検出結果に応じて、液晶駆動ドライバ３における後述の第１階調電圧出力回路１０ａ及び第２階調電圧出力回路１０ｂでの階調電圧の出力をオフセット制御するものであるが、その詳細については後述する。
【００１９】
明るさセンサー６は、テレビジョン受像機１の周囲の外光を検出する。リモコン受光器７は、図示しないリモコン送信機からの選局データ等のリモコン信号を受け取る。
【００２０】
図２は、液晶駆動ドライバ３の概要を説明するための図である。同図は、液晶表示パネル４をたとえば上下に２分割して駆動する場合を示すものである。すなわち、液晶表示パネル４の上画面は、第１ゲートドライバ８ａ、第１ソースドライバ９ａ及び第１階調電圧出力回路１０ａによって駆動されるようになっている。液晶表示パネル４の下画面は、第２ゲートドライバ８ｂ、第２ソースドライバ９ｂ及び第２階調電圧出力回路１０ｂによって駆動されるようになっている。
【００２１】
ここで、液晶表示パネル４の上下画面の各ドライバは同時駆動されるものであり、第１ゲートドライバ８ａ及び第２ゲートドライバ８ｂからの走査パルスによる走査に応じて第１ソースドライバ９ａ及び第２ソースドライバ９ｂからの映像信号に応じた信号パルスが印加されることにより、液晶表示パネル４に１フレーム分の映像が表示される。ここで、第１ソースドライバ９ａ及び第２ソースドライバ９ｂには、第１階調電圧出力回路１０ａ及び第２階調電圧出力回路１０ｂからの映像信号に応じた階調電圧が出力されることにより、第１ソースドライバ９ａ及び第２ソースドライバ９ｂからの信号パルスがその階調電圧を含んだものとされる。
【００２２】
なお、第１階調電圧出力回路１０ａ及び第２階調電圧出力回路１０ｂからの映像信号に応じた階調電圧は、図示しないセレクタにより選択されて、第１ソースドライバ９ａ及び第２ソースドライバ９ｂからの信号ライン（たとえば１９２０本）に合わせて出力されるようになっている。
【００２３】
図３は、上述した第１階調電圧出力回路１０ａ及び第２階調電圧出力回路１０ｂを説明するための図である。
【００２４】
同図に示す第１階調電圧出力回路１０ａ及び第２階調電圧出力回路１０ｂは、ＤＡＣ（Ｄｉｇｉｔａｌ  Ａｎａｌｏｇ  Ｃｏｎｖｅｒｔｅｒ）によって構成されている。以下、第１階調電圧出力回路１０ａ及び第２階調電圧出力回路１０ｂをＤＡＣ（１）及びＤＡＣ（２）として説明する。また、これらのＤＡＣ（１）及びＤＡＣ（２）からは、たとえばＶ０、Ｖ３１、Ｖ６３、Ｖ９５、Ｖ１２７、Ｖ１５９、Ｖ１９１、Ｖ２２３、Ｖ２５５の９通りの階調電圧が出力されるが、さらにそれらの階調電圧は抵抗分割されて２５６階調の階調電圧とされ、上述したように、図示しないセレクタにより選択されて、第１ソースドライバ９ａ及び第２ソースドライバ９ｂからの信号ライン（たとえば１９２０本）に合わせて出力されるようになっている。
【００２５】
また、これらのＤＡＣ（１）及びＤＡＣ（２）には、基準電圧安定化回路１１からの基準電圧（ＲＥＦ）が供給されるようになっている。また、たとえばＤＡＣ（２）には、補正電圧供給回路１２からの階調電圧を補正（オフセット）するための補正電圧が供給されるようになっている。
【００２６】
ここで、ＤＡＣ（１）及びＤＡＣ（２）は、たとえば図４に示すように、階調電圧（Ｖ０〜Ｖ２５６）を出力するとともに、それぞれの出力である階調電圧（Ｖ０〜Ｖ２５６）のレベルに差があるような特性の相違がある（図４の特性グラフＤＡＣ（１）、ＤＡＣ（２）の傾きが異なる）ものとする。この場合、それぞれの特性の相違により、液晶表示パネル４の上下両画面の分割境界部に輝度差が生じてしまい、表示品位が低下してしまうことになる。
【００２７】
ちなみに、明るい場所で映像を見た場合、液晶表示パネル４の上下両画面の分割境界部では暗い映像の輝度差が目立ち、暗い場所で映像を見た場合、液晶表示パネル４の上下両画面の分割境界部では明るい映像の輝度差が目立つことになる。
【００２８】
この場合、たとえばＤＡＣ（２）に、補正電圧供給回路１２からの階調電圧を補正（オフセット）するための補正電圧を供給することで、たとえば図５に示すように、ＤＡＣ（２）からの階調電圧のレベルがＤＡＣ（１）の階調電圧のレベルに近づけられ、ＤＡＣ（１）及びＤＡＣ（２）からの階調電圧の差が縮小されるため、液晶表示パネル４の上下両画面の分割境界部での輝度差がある程度軽減されるようになる。
【００２９】
なお、補正電圧供給回路１２からの階調電圧を補正（オフセット）するための補正電圧は、たとえば階調Ｖ０〜Ｖ９５の範囲（調整Ａ）と、たとえば階調Ｖ１２７〜Ｖ２５５の範囲（調整Ｂ）とに分けて供給されるようになっている。このように、調整Ａ及び調整Ｂの２通りに分けて階調電圧を補正（オフセット）することにより、ＤＡＣ（２）からの階調電圧（Ｖ０〜Ｖ２５５）を個別に補正（オフセット）することに比較して短時間での補正（オフセット）が可能となる。なお、ここでは、補正（オフセット）を調整Ａ及び調整Ｂの２つとしているが、これに限らず、補正（オフセット）に要する時間の許容範囲内で、３つ以上で調整するようにしてもよい。
【００３０】
また、上述した調整Ａ及び調整Ｂの範囲は、明るさセンサー６による外光（周囲の明るさ）の検出結果に応じて変更することが好ましい。これは、上述したように、明るい場所で映像を見た場合、液晶表示パネル４の上下両画面の分割境界部では暗い映像の輝度差が目立ち、暗い場所で映像を見た場合、液晶表示パネル４の上下両画面の分割境界部では明るい映像の輝度差が目立つことになるためである。
【００３１】
そこで、本実施例では、図６〜図８に示すように、明るさセンサー６による外光（周囲の明るさ）の検出結果に応じて調整Ａ及び調整Ｂの範囲を変更するようにしている。
【００３２】
すなわち、図６は、外光が明るいときの調整Ａ及び調整Ｂの範囲を示すものであり、たとえば階調Ｖ０〜Ｖ９５までを調整Ａ（出力補正Ａ１）とし、階調Ｖ１２７〜Ｖ２５５までを調整Ｂ（出力補正Ｂ１）としている。この場合、調整Ａ（出力補正Ａ１）と調整Ｂ（出力補正Ｂ１）との間の階調電圧と、ＤＡＣ（１）の階調電圧とがクロスするクロスポイントＰが高輝度側に寄るような補正（オフセット）となる。
【００３３】
これにより、外光が明るいときに、ＤＡＣ（２）からの階調電圧のレベルがＤＡＣ（１）の階調電圧のレベルに近づけるように補正（オフセット）されることで、液晶表示パネル４の上下両画面の分割境界部では明るい映像の輝度差が目立たなくなり、表示品位が低下してしまうことがない。
【００３４】
一方、図７は、外光が暗いときの調整Ａ及び調整Ｂの範囲を示すものであり、たとえば階調Ｖ０〜Ｖ６３までを調整Ａ（出力補正Ａ２）とし、階調Ｖ９５〜Ｖ２５５までを調整Ｂ（出力補正Ｂ２）としている。この場合、調整Ａ（出力補正Ａ２）と調整Ｂ（出力補正Ｂ２）との間の階調電圧と、ＤＡＣ（１）の階調電圧とのクロスポイントＰが低輝度側に寄るような補正（オフセット）となる。
【００３５】
これにより、外光が暗いときに、ＤＡＣ（２）からの階調電圧のレベルをＤＡＣ（１）の階調電圧のレベルに補正（オフセット）することで、液晶表示パネル４の上下両画面の分割境界部では明るい映像の輝度差が目立たなくなり、表示品位が低下してしまうことがなく。
【００３６】
このようなＤＡＣ（２）の階調電圧の補正（オフセット）にあっては、たとえば制御回路５が図８に示すような補正テーブル１３を有していて、制御回路５が明るさセンサー６による外光（周囲の明るさ）の検出結果に応じて補正電圧供給回路１２を制御することにより実現することができる。この場合、上述した調整Ａ（出力補正Ａ１）及び調整Ｂ（出力補正Ｂ１）を第１補正データとし、調整Ａ（出力補正Ａ２）及び調整Ｂ（出力補正Ｂ２）を第２補正データとして補正テーブル１３に記憶させておけばよい。
【００３７】
次に、テレビジョン受像機１による映像表示方法について説明する。まず、図９に示すように、テレビジョン受像機１の電源がオンされて（ステップＳ１）、電源オフ時に記憶されていたあるチャンネル（ＣＨ）の映像が表示されたとする（ステップＳ２）。
【００３８】
このとき、制御回路５により、明るさセンサー６による外光（周囲の明るさ）の検出結果に応じ（ステップＳ３）、上述した補正テーブル１３の第１補正データ又は第２補正データに基づいて、補正電圧供給回路１２からの補正電圧を制御し、ＤＡＣ（２）からの階調電圧をＤＡＣ（１）の階調電圧のレベルに近づけるように補正（オフセット）する。
【００３９】
すなわち、明るさセンサー６による外光（周囲の明るさ）の検出結果が明るい場合、補正テーブル１３の第１補正データに基づき、ＤＡＣ（２）からの階調電圧がＤＡＣ（１）の階調電圧のレベルに近づくように補正（オフセット）される（ステップＳ４）。この場合、上述したように、調整Ａ（出力補正Ａ１）と調整Ｂ（出力補正Ｂ１）との間の階調電圧と、ＤＡＣ（１）の階調電圧とのクロスポイントＰが高輝度側に寄るような補正（オフセット）となる。
【００４０】
これに対し、明るさセンサー６による外光（周囲の明るさ）の検出結果が暗い場合、補正テーブル１３の第２補正データに基づき、ＤＡＣ（２）からの階調電圧がＤＡＣ（１）の階調電圧のレベルに近づくように補正（オフセット）される（ステップＳ５）。この場合、上述したように、調整Ａ（出力補正Ａ２）と調整Ｂ（出力補正Ｂ２）との間の階調電圧と、ＤＡＣ（１）の階調電圧とのクロスポイントＰが低輝度側に寄るような補正（オフセット）となる。なお、ここでは、補正（オフセット）を調整Ａ及び調整Ｂの２つとして明るさセンサー６出力に対する明暗の閾値を１つ設定して制御しているが、これに限らず、補正（オフセット）に要する時間の許容範囲内で、３つ以上の調整域を設定するようにしてもよく、その場合は明るさセンサー６の出力に対する明暗の閾値を、最低限、調整域分割数＋１個に設定して制御される。
【００４１】
このように、本実施例では、走査パルスを印加する第１ゲートドライバ８ａ及び映像信号に応じた信号パルスを印加する第１ソースドライバ９ａにより表示画面の上画面を駆動し、走査パルスを印加する第２ゲートドライバ８ｂ及び映像信号に応じた信号パルスを印加する第２ソースドライバ９ｂにより表示画面の下画面を駆動するに際し、第１ソースドライバ９ａに対し、第１階調電圧出力手段としての第１階調電圧出力回路１０ａによって映像信号に応じた階調電圧を出力し、第２ソースドライバ９ｂに対し、第２階調電圧出力手段としての第２階調電圧出力回路１０ｂによって映像信号に応じた階調電圧を出力するとき、制御手段としての制御回路５によって制御される補正電圧供給手段としての補正電圧供給回路１２により、たとえば第２階調電圧出力回路１０ｂに対し、両者の出力のオフセット分を補正するための補正電圧が供給されることで、第１階調電圧出力回路１０ａと第２階調電圧出力回路１０ｂとの特性が異なる場合でも、それぞれの特性の相違が補正され、上下両画面の分割境界部での輝度差が低減されることから、表示品位を向上させることができる。
【００４２】
なお、本実施例では、第１階調電圧出力回路１０ａであるＤＡＣ（１）と第２階調電圧出力回路１０ｂであるＤＡＣ（２）との特性が予め分かっている場合で説明したが、これらのＤＡＣ（１）及びＤＡＣ（２）の特性が不明である場合も、同様にしてそれぞれの特性の相違を補正することができる。この場合、テレビジョン受像機１の電源がオンされたときに、まず制御回路５によりＤＡＣ（１）及びＤＡＣ（２）の特性を検出し、これらの特性をメモリに記憶させておいて、ＤＡＣ（２）からの階調電圧のレベルがＤＡＣ（１）の階調電圧のレベルに近づけられるように補正（オフセット）すればよい。
【００４３】
また、本実施例では、ＤＡＣ（２）からの階調電圧のレベルがＤＡＣ（１）の階調電圧のレベルに近づけられるように補正（オフセット）した場合として説明したが、この例に限らず、ＤＡＣ（１）からの階調電圧のレベルがＤＡＣ（２）の階調電圧のレベルに近づけられるように補正（オフセット）してもよい。
【産業上の利用可能性】
【００４４】
テレビジョン受像機に限らず、映像が表示されるものであればよく、テレビチューナが搭載されたＰＤＡ、ノートパソコン、モバイル向けテレビ等のシステム機器にも適用可能である。
【図面の簡単な説明】
【００４５】
【図１】本発明の映像表示装置の一実施例を説明するための図である。
【図２】図１の液晶駆動ドライバの概要を説明するための図である。
【図３】図２の第１階調電圧出力回路及び第２階調電圧出力回路を説明するための図である。
【図４】図２の第１階調電圧出力回路と第２階調電圧出力回路との特性が相違する場合の不具合を説明するための図である。
【図５】図２の第１階調電圧出力回路と第２階調電圧出力回路との特性の相違を補正する場合を説明するための図である。
【図６】図２の第１階調電圧出力回路と第２階調電圧出力回路との特性の相違を、外光が明るいときに補正する場合を説明するための図である。
【図７】図２の第１階調電圧出力回路と第２階調電圧出力回路との特性の相違を、外光が暗いときに補正する場合を説明するための図である。
【図８】図２の第１階調電圧出力回路と第２階調電圧出力回路との特性の相違を補正する場合に用いられる補正テーブルを説明するための図である。
【図９】図１のテレビジョン受像機による映像表示方法について説明するためのフローチャートである。
【符号の説明】
【００４６】
１  テレビジョン受像機
２  映像処理回路
３  液晶駆動ドライバ
４  液晶表示パネル
５  制御回路（制御手段）
６  明るさセンサー（検出手段）
７  リモコン受光器
８ａ  第１ゲートドライバ
８ｂ  第２ゲートドライバ
９ａ  第１ソースドライバ
９ｂ  第２ソースドライバ
１０ａ  第１階調電圧出力回路（第１階調電圧出力手段）
１０ｂ  第２階調電圧出力回路（第２階調電圧出力手段）
１１  基準電圧安定化回路
１２  補正電圧供給回路（補正電圧供給手段）
１３  補正テーブル
【図１】
2008287146.tif 000003
【図２】
2008287146.tif 000004
【図３】
2008287146.tif 000005
【図４】
2008287146.tif 000006
【図５】
2008287146.tif 000007
【図６】
2008287146.tif 000008
【図７】
2008287146.tif 000009
【図８】
2008287146.tif 000010
【図９】
2008287146.tif 000011